(57)【要約】  構造部材をパネル状部材（５，５８）にねじ止めするための締結ナットであって、この締結ナットは、パネル状部材への取り付けのためにナット部材（１，６２）から迫り出した保持部（２，３；５６）を有する。締結ナットは、ナット部材（１，６２）と固定部材（４，５３）とを備えた２部品設計であり、ナット部材（１，６２）と固定部材（４，５３）は、両者間にパネル状部材（５，５８）を挟み込み、固定部材（４，５３）は、スナップ作用フック（７，８；２６，２７；５４）によりパネル状部材（５，５８）の貫通孔（１３，１４；２８，２９；３１；３２；５７）を貫通してナット部材（１，６２）に結合可能である。保持部（２，３；５６）内の受け入れ孔（１１，１２；５９）は、スナップ作用フック（７，８；２６，２７；５４）を受け入れ、スナップ作用フック（７，８；２６，２７；５４）は、保持部（２，３；５６）内に係止される。
2005511979.tif 000002
【特許請求の範囲】
【請求項１】
構造部材をパネル状部材（５，５８）にねじ止めするための締結ナットであって、前記締結ナットは、前記パネル状部材への取り付けのためにナット部材（１，６２）から迫り出した保持部（２，３；５６）を有し、ナット部材（１，６２）と固定部材（４，５３）とを備えた２部品設計であり、前記ナット部材（１，６２）と前記固定部材（４，５３）は、両者間に前記パネル状部材（５，５８）を挟み込み、前記固定部材（４，５３）は、スナップ作用フック（７，８；２６，２７；５４）により前記パネル状部材（５，５８）の貫通孔（１３，１４；２８，２９；３１；３２；５７）を貫通してナット部材（１，６２）に結合可能であり、前記保持部（２，３；５６）内の受け入れ孔（１１，１２；５９）が前記スナップ作用フック（７，８；２６，２７；５４）を受け入れ、前記スナップ作用フック（７，８；２６，２７；５４）は、前記保持部（２，３；５６）内に係止されることを特徴とする締結ナット。
【請求項２】
前記締結ナットは、ナット部材（１）に対して対向して配置された２つの保持部（２，３）を有し、前記固定部材（４）は、２つのスナップ作用フック（７，８）を有し、前記スナップ作用フック（７，８）は、前記保持部（２，３）の位置に応じて前記固定部材上（４）に配置されることを特徴とする請求項１に記載の締結ナット。
【請求項３】
前記固定部材（４）は、フランジ（６）の形態をなしており、前記フランジ（６）は、前記保持部（２，３）及び前記ナット部材（１）の領域上に延在すると共に前記ナット部材（１）のねじ孔（２０）に整合する貫通孔（１５）を有することを特徴とする請求項１又は請求項２に記載の締結ナット。
【請求項４】
前記スナップ作用フック（７，８；２６，２７；５４）は、長手方向に遊びを持って前記保持部（２，３；５６）に係止されることを特徴とする請求項１ないし請求項３のいずれか１つに記載の締結ナット。
【請求項５】
前記フランジ（６）は、ばね部（２１，２２）により前記パネル状部材（５）を押し付けることを特徴とする請求項３又は請求項４に記載の締結ナット。
【請求項６】
前記保持部（２，３）を有する前記ナット部材（１）は、ばね部（２３，２４）により前記パネル状部材を押し付けることを特徴とする請求項４又は請求項５に記載の締結ナット。
【請求項７】
前記スナップ作用フック（２６，２７）に予荷重をかけるため、前記フランジ（２５）は、長手方向に僅かな湾曲を有することを特徴とする請求項３又は請求項４に記載の締結ナット。
【請求項８】
前記パネル状部材（５）の領域内において前記スナップ作用フック（７，８）が貫通する貫通孔に対して相当の過小寸法となる前記スナップ作用フック（７，８）の横断面によって前記パネル状部材（５）に対する公差補償取り付けとしたことを特徴とする請求項１ないし請求項７のいずれか１つに記載の締結ナット。
【請求項９】
前記過小寸法部は、前記パネル状部材（５）の卵形孔（ｙ方向）（２８，２９）に応じた方向に延在していることを特徴とする請求項８に記載の締結ナット。
【請求項１０】
前記過小寸法部は、丸い貫通孔（ｘ−ｙ方向）（３１，３２）に応じて前記スナップ作用フックの周囲に半径方向に延在していることを特徴とする請求項８に記載の締結ナット。
【請求項１１】
前記固定部材は、前記ナット部材（１）の前記ねじ孔（２０）に対して軸方向のスリーブ（３５）を有し、前記スリーブ（３５）は、前記フランジ（３４）から突出すると共に締結ナットにより固定すべき構造部材（１９）を支持するための支持ナット（３６）をねじ込むことができる雄ねじ部を有し、前記支持ナット（３６）は、回転されてパネル状部材（５）からの所望距離を調節することができることを特徴とする請求項１ないし請求項１０のいずれか１つに記載の締結ナット。
【請求項１２】
前記固定部材は、前記ナット部材（１）の前記ねじ孔（２０）に対して軸方向のスリーブ（３９）を有し、前記スリーブ（３９）は、前記フランジ（３８）から突出すると共に伸長可能な管状片（４０）を有し、前記管状片（４０）は、前記スリーブ（３９）外に突出し、かつ、前記ナット部材（１）によって固定すべき構造部材（１９）を支持するために前記パネル状部材（５）からの距離を調節し、前記距離は、前記ナット部材（１）内への前記ねじ（１７）のねじ込み及び摩擦係止状態下で前記スリーブ（３９）に対する管状片（４０）の後続の伸長により固定可能であることを特徴とする請求項１ないし請求項１１のいずれか１つに記載の締結ナット。
【請求項１３】
前記固定部材は、前記スナップ作用フック（７，８）の領域内に係止解除孔（４５）を有し、受け入れ孔（１１、１２）で受け入れられたスナップ作用フック（７，８）が係止解除されるように係止解除ピン（４７，４８）が前記係止解除孔（４５）を通して前記受け入れ孔（１１、１２）内に挿入可能であることを特徴とする請求項１ないし請求項１２のいずれか１つに記載の締結ナット。
【請求項１４】
前記保持部（２，３）を備えたナット部材（１）は、少なくとも１つの連続する密封リップ（４９）を有することを特徴とする請求項１ないし請求項１３のいずれか１つに記載の締結ナット。
【請求項１５】
前記固定部材（４）は、少なくとも１つの連続する密封リップ（５１、５２）を有することを特徴とする請求項１ないし請求項１４のいずれか１つに記載の締結ナット。
【請求項１６】
締結ナット（７０）のナット部材（７２）にねじ込まれるねじ（８７）用の貫通孔（８４）及び締結ナット（７０）に取り付けられるフック（７６，７７）用の２つの受け入れ孔（８５，８６）を有するパネル状部材（７１）に構造部材をねじ止めするための締結ナット（７０）において、前記フック（７６，７７）は、前記パネル状部材（７１）に対して実質的に長手方向に延在するばねアーム（７４、７５）により前記ナット部材（７２）に接続され、前記締結ナット（７０）を前記パネル状部材（７１）上に事前組み立てするとき、前記ナット部材（７２）は、前記パネル状部材（７１）に押し付けられ、前記ばねアーム（７４，７５）は、前記ばねアーム（７４，７５）の伸長により前記受け入れ孔（８５，８６）内に案内されて内部内側に係止することを特徴とする締結ナット。
【発明の詳細な説明】
【技術分野】
【０００１】
本発明は、構造部材をパネル状部材上にねじ止めするための締結ナットに関するものであり、この締結ナットは、パネル状部品に取り付けられるために、ナット部材から迫り出した保持部を有する。
【背景技術】
【０００２】
このような締結ナットについては、ＥＰ０８６１３８０Ｂ１に開示されている。この締結ナットは、パネル状部材に固定でき、ねじによってあらゆる種類の構造部材をパネル状部材にねじ止めできる。ねじはナット部材に受け止めされ、ナット部材は、このナット部材から迫り出した保持部により、パネル状部材に取り付けられる。この保持部は、スナップ作用フックを有する。このフックはパネル状部材内の貫通孔を貫通してその内部に係止し、これによりプラスチック製ナットをパネル状部材に固定する。
【０００３】
同様にナット部材とこれから迫り出した保持部を含む、パネル状部材に取り付けるための締結ナットは、ＤＥ４４１２４３１Ｃ１に開示されている。部品からの所望距離を調節するための雄ねじが設けられた調節ナットを受け止めるよう、その締結ナットのナット部材が作用する。この調節ナットは、その所望距離に応じて、その雄ねじ部がナット部材にねじ込まれている。このナット部材は２つの作用のあるスナップフックを有し、このフックがパネル状部材に係止することにより、そのナット部材をパネル状部材に固定する。
【０００４】
上述の２つの締結ナットは、その保持部と一体構造をなしており、スナップ作用フックの形態の保持部は、締結ナットをパネル状部材に堅固に固定することが可能である。その所要のばね特性のために、それぞれのプラスチック製ナットは、パネル状部材に対して或る程度の可撓性を有しており、その可撓性は必ずしも常に望まれるものではない。
【特許文献１】ＥＰ０８６１３８０Ｂ１公報
【特許文献２】ＤＥ４４１２４３１Ｃ１公報
【発明の開示】
【発明が解決しようとする課題】
【０００５】
本発明の目的は、最初に示した設計の締結ナットを提供することにあり、この締結ナットは、パネル状部材に簡単な方法で取り付けることができ、そのナット部材とパネル状部材との間の固定に関して、高い安定性を提供することである。
【課題を解決するための手段】
【０００６】
この本発明の目的は、ナット部材と固定部材の２部品設計で達成され、このナット部材と固定部材は両者間にパネル状部材を挟み込み、この固定部材は、スナップ作用フックによりパネル状部材の貫通孔を貫通し、ナット部材に結合可能である。保持部内の受け入れ孔がスナップ作用フックを受け入れ、このスナップ作用フックが保持部内に係止する。
【発明の効果】
【０００７】
したがって、締結ナットの一体設計に基づいた最初に示した先行技術とは対比的に、本発明は、本発明の締結ナットが２部品設計からなることによって、異なる解決方法を採用している。この２部品設計によって、所要の保持力を適用できることに加えて、第１に切り込みねじによるねじ込みのために、そして第２に特定の適用のために、特に有利な特性を備えた広範囲な材料からなるナット部材を採用することができる。したがって、固定部材は、スナップ作用フックに必要とされる弾性を生み出す材料から製造可能であり、そのため、このフックについてはプラスチック材料を考慮に入れている。さらに、プラスチックには、スナップ作用フックを備える固定部材の設計に鑑みると、有効な製造方法として射出成型を考慮することができるという利点がある。しかしながら、勿論、特にスナップ作用フックが対応する長さを有している場合、この固定部材を、同様に弾性のある金属で形成することも可能である。その結果、締結ナットの製造に関して、利用可能な材料から広範な選択ができ、低コスト製造のためにはこの点が決定的に重要である。その上、締結ナットに使用される材料についての選択によって、この締結ナットの材料を経済的なリサイクル過程の観点から、パネル状部材の材料に適合させることが可能である。さらに、勿論、標準的なねじの使用が望まれる場合は、既に切り込み済み又は形成済みのねじをナット部材に設けることも可能である。締結ナットを、保持部を有するナット部材と固定部材とに分割することにより、すべての構成部分をパネル状部材に対して接触面積が比較的大きい設計にすることができるという本質的な利点も存在し、その結果、ナット部材によってパネル状部材上にかかる単位面積あたりの圧縮荷重を小さく保つことができ、この点は、かかる締結ナットの取り付けとねじ式結合の使用寿命との観点から、しばしば決定的に重要となる。
【発明を実施するための最良の形態】
【０００８】
単一の迫り出した保持部をナット部材に備えることができ、その結果、固定部材には単一のスナップ作用フックを設けることができる。しかしながら、ナット部材に２つの対向して配置された保持部を備え、固定部材に２つのスナップ作用フックを設けることも可能であり、かつ有利である。上記スナップ作用フックは、保持部の位置に応じて固定部材上に配置される。これは、パネル状部材に対してナット部材を支持するための対称的な配置となり、これにより、ナット部材はパネル状部材に対して一様に保持されることが保証される。
【０００９】
この固定部材はフランジの形態になっていることが有利であり、このフランジは保持部及びナット部材の領域上に延在し、ナット部材のねじ孔に整合する貫通孔を備えている。構造部材にねじ止めするため、構造部材をそのねじ頭で把持するねじが、固定部材の側からその貫通孔に挿入される。ねじの締め付けにより、ナット部材内にねじ込まれ、そのナット部材はパネル状部材に対して押し付けられ、それにより構造部材もパネル状部材に対して押し付けられる。その結果、構造部材がパネル状部材にねじ止めされる。
【００１０】
特にプラスチックナットの事前組み立て後に、プラスチックナットの無振動着座を保証にする目的から、フランジには、このフランジをパネル状部材に対して押し付けるためのばね部を備えていることが有利である。同様に、保持部を有するナット部材にも、このナット部材を保持部と共にパネル状部材に対して押し付けるばね部を、備えることができる。無振動取り付けについての更なる可能性として、スナップ作用フックに予荷重をかける目的から、フランジに長手方向に僅かな湾曲を与えることもできる。
【００１１】
パネル状部材へのプラスチックナットの取り付けに関連しては、プラスチックナットの製造公差を補償するために、プラスチックナットを確実に保持する点から、パネル状部材上に取り付け領域を設けることがしばしば要求される。この点は、スナップ作用フックに貫通される貫通孔に対して、スナップ作用フックの横断面に相当の過小寸法部が設けられ、その結果、スナップ作用フックはパネル状部材に対して変位することが可能となる点で有利に達成される。これは結果的にまた、ナット部材には、パネル状部材に対して或る制限された取付領域が与えられることを意味している。これにより、他の構造部材のあらゆる設計上の不正確性又は公差を許容可能にする。貫通孔に対するスナップ作用フックの過小寸法部は、貫通孔が卵形の孔となるようにできる。その結果、一方向（ｘ方向）についてのみスナップ作用フックの過小寸法部が生じ、その場合、プラスチックナットは対応する公差を補償する取り付けが可能になる。しかしながら、過小寸法部がスナップ作用フックの周囲で半径方向に延在することも可能である。その結果、過小寸法部は円形の貫通孔に対応し、プラスチックナットの公差補償取り付け部は、あらゆる方向の平面（ｘ−ｙ方向）内に延在する。
【００１２】
構造部材をパネル状部材に取り付ける場合、パネル状部材から或る所望距離をもって取り付けることを可能にするため、プラスチックナットは、固定部材がナット部材のねじ孔に対して軸方向にスリーブを有するような設計になっていることが有利である。このスリーブはフランジから突出し、かつ雄ねじ部を有し、この雄ねじ部には、プラスチックナットによって固定すべき構造部材を支持するための支持ナットをねじ込むことができる。この支持ナットは、回転することにより部品からの所望距離を調節することができる。この場合、ナット部材を貫通するねじは、構造部材を支持ナットで許容される程度にまでパネル状部材に引き込むことができる。その理由は、支持ナットは多かれ少なかれスリーブ上に更にねじ込まれ、その結果、その構造部材がねじ込まれている間に、究極的には支持ナットが追台を形成する。
【００１３】
支持ナットの装備についての変形例として、固定部材がナット部材のねじ孔に対して軸方向にスリーブを有し、このスリーブがフランジから突出すると共に伸長可能な管状片を有し、この管状片がスリーブ外に突出し、かつ、ナット部材によって固定すべき構造部材を支持するためにパネル状部材からの距離を調節し、この距離は、ナット部材内へのねじのねじ込みと、摩擦係止状態下でスリーブに対する管状片の後続の伸長により固定できるように構成されている。上述の支持ナットと同様に、この原理により、構造部材の取り付けのために、或る距離を連続的に得ることができる支持表面を提供することが可能となる。
【００１４】
パネル状部材に取り付けられたプラスチックナットが簡単な方法で再度パネル状部材から取り外すことができるよう、固定部材にはスナップ作用フックの領域に係止解除孔が設けられ、受け入れ孔に受け入れられたスナップ作用フックが係止解除されるように、係止解除ピンが係止解除孔を通して受け入れ孔内に挿入可能である。そして、係止解除ピンは、固定部材を取り外すためにスナップ作用フックを後退させ、その結果、固定部材はパネル状部材から、そして保持部から引き離すことができ、その結果、ナット部材が取り外される。
【００１５】
スナップ作用フックが保持部内に係止されると、スナップ作用フックと保持部との間に遊びができ、この結果、保持部を有するナット部材と固定部材との間の締結に相応の緩みを生ぜしめる。これは、或る個別事例においては望ましいかもしれない。特に、製造公差の補償目的上、構造部材の最終的ねじ込み前に、再度パネル状部材に対して締結ナットを前後に摺動させる必要がある場合である（以下参照）。したがって、締結ナットの２部品設計により、保持部に対してその長手方向に、スナップ作用フックに意識的に遊びが設けられるようにすることができる。これはまた、その遊び領域におけるいかなるパネル状部材の厚さ公差をも補償可能とする。
【００１６】
本発明のプラスチックナットは、例えば、保持部を有するナット部材に少なくとも１つの連続した密封リップを設けるなど、パネル状部材におけるプラスチックナットの貫通孔の密封を可能とする。それに対応して、固定部材にも少なくとも１つの連続した密封リップを設けることができる。これにより、水がこの取り付けられたプラスチックナット箇所のパネル状部材を通して侵入できなくなり、この点が自動車用構造において特に重要性をもたらす。
【実施例】
【００１７】
実施例を図面により示す。
【００１８】
図１ａ、図１ｂ、図１ｃは、別々に描いた構成部品、すなわち、固定部材４と、２つの保持部２、３を備えたナット部材１とからなる締結ナットを示す。パネル状部材５が、２つの保持部２、３を備えたナット部材１と固定部材４との間に示されている。締結ナットは、パネル状部材５に取り付けるべき上述の２つの構成部品で構成されている。固定部材４（平面図である図１２ａ参照）は、フランジ６と２つのスナップ作用フック７，８とを有する。これらのフックは、上記フランジ６から突出し、それぞれ肩部９、１０を有する。この肩部９、１０は、固定部材４と保持部２、３との組み立て時に、保持部２、３内に係止する。２つの構成部品は結合され、すなわち、２つのスナップ作用フック７，８を有する固定部材４は、保持部２、３の受け入れ孔１１、１２内に案内され、図２を参照して以下に説明するように、受け入れ孔１１、１２が位置決めを行なう。かかる結合の間、パネル状部材５は、２つの保持部２、３によりナット部材１に押し付けられ、その結果、２つの上述の構成部品からなる締結ナットが、パネル状部材５に取り付けられる。かかる結合を可能とするため、パネル状部材５は２つの貫通孔１３、１４を有し、これらの貫通孔は、組み立て時に２つのスナップ作用フック７、８により貫通される。パネル状部材５は、さらに貫通孔１５を有し、この貫通孔については以下に詳細に説明する。
【００１９】
図２は、パネル状部材５に取り付けられた組み立て済みの締結ナットを示す。図２は、２つのスナップ作用フック７、８を示す。このスナップ作用フックは、その肩部９、１０が完全に受け入れ孔１１、１２を貫通し、また、肩部９、１０が受け入れ孔１１、１２の縁部の背後に至り、その結果、フランジ６と２つのスナップ作用フック７、８からなる固定部材が、２つの保持部２、３によってナット部材１内に係止される。パネル状部材５は、フランジ６と、ナット部材１及び２つの保持部２、３（図１ｃ参照）の表面１６との間に保持される。
【００２０】
締結ナットのナット部材１内にねじ１７がねじ込まれると、ねじはその頭部１８により構造部材１９をフランジ６に押し付け、それにより、構造部材１９がパネル状部材５にねじ止めされる。
【００２１】
構造部材１９の締結ナット１、２、３、６、７、８上へのねじ止めに関し、肩部９、１０が保持部２、３内に係止される際、２つの保持部２、３は、遊びゼロで把持する必要はない。すなわち、固定部材４と保持部２、３が結合する間、肩部９、１０の領域に、最初はある程度の遊びが存在するかも知れない。この遊びにも拘わらず、締結ナットは、繋がれた状態でパネル状部材５に取り付けられる。上述のように、ねじ１７がナット部材１内にねじ込まれると、ねじ頭部１８が構造部材１９とナット部材１とを堅固に一体に引き寄せる。その結果、肩部９、１０の領域においてそれまで存在していた遊びは重要ではなくなる。
【００２２】
図１及び図２に示された実施態様は、固定部材４と、２つの保持部２、３を有するナット部材１とからなる。これらはプラスチック製であり、好ましくは射出成型で製造される。使用される材料のため、２つのスナップ作用フック７、８とフランジ６との間に或る程度の曲げ弾性が存在し、その結果、スナップ作用フック７、８が受け入れ孔１１、１２内に導入される際、スナップ作用フック７、８は、上述のように、これらがその肩部９、１０で受け入れ孔１１、１２の縁部に係止されるまで、予荷重に対して僅かにばね式に後退することができる。ナット部材１にプラスチックを使用したため、ねじ１７は切り込みねじの形態にすることが可能であり、すなわち、ナット部材１の孔２０（図１ｃ）は、ねじ１７がねじ込まれる際に切り込みねじが与えられ、ねじ１７は上述の貫通孔１５（図１ｂ参照）を貫通する。
【００２３】
図３ａ、図３ｂ、図３ｃは、２つの構成部品を有する締結ナットの設計を示す。固定部材４と２つの保持部２、３を有するナット部材１は、以下に説明する公差補償要素とは別のものであり、図１ａ及び図１ｃに示される同じ構成部品と同一のものである。
【００２４】
図２に関連して、２つの構成部品、すなわち、固定部材４と２つの保持部２、３を有するナット部材１は、遊びを持って結合することができるという事実に注意が向けられる。この点は、厚さが異なるパネル状部材５に締結ナットを取り付ける必要がある場合に特に望ましい。緩い結合を防止する場合、フランジ６及び保持部２、３には、図３ａ及び図３ｃに示すように、ばね部２１，２２及び２３，２４が備えられる。このばね部２１，２２及び２３，２４は、締結ナットの構成部品が結合される際、予荷重を以ってパネル状部材５に接触するような設計になっている。したがって、ばね部２１ないし２４の柔軟性のある領域では、図３ａないし図３ｃに示される締結ナットの構成部品とパネル状部材５との間に、無振動結合状態が存在する。
【００２５】
勿論、比較的僅かな遊びのみを補償することが必要な場合には、ばね部２１、２２又はばね部２３、２４の一方だけを配設することも可能である。
【００２６】
図４は公差補償の異なる形式を示す。この場合、公差補償は、固定部材４のフランジ２５がその長手方向に、図４に明確に示されるように、僅かな湾曲を有していることにより達成される。この湾曲により、固定部材４が緩み位置にある状態で、スナップ作用フック２６、２７は、フランジ２５に対して僅かに斜めに立設されている。締結ナットの２つの構成部品が結合された後、図２に示されるように、ねじがナット部材内にねじ込まれたとき、フランジ２５は構造部材（図２の構造部材１９）の作用により真っ直ぐになる。その結果、２つの肩部９、１０が相互方向に押され、そして２つの受け入れ孔（図１及び図２の受け入れ孔１１、１２）の縁部の背後に至る。
【００２７】
図２から明らかなように、パネル状部材５は３つの貫通孔、すなわち、スナップ作用フック７、８を受け入れるための２つの貫通孔１３、１４、及び貫通孔１５を有する。もし貫通孔が、それらを貫通する部品、すなわち、スナップ作用フック７、８及びねじ１７が、図５に示されるように、丁度嵌合するような寸法に形成されているならば、固定部材４と、パネル状部材５と、２つの保持部２、３を有するナット部材１とが一体に結合されるとき、パネル状部材５の面内において、パネル状部材５に対して締結ナットの遊びがゼロとなる位置が存在することになる。しかしながら、締結ナットとパネル状部材５との間に遊びを設けることが望ましい場合は、パネル状部材５が図６に示される設計、すなわち、卵形孔の形態の貫通孔２８、２９、３０を有する設計にできる。かかる設計は、パネル状部材５の長手方向の遊び（ｙ方向）をもたらす。これとは逆に、貫通孔３１、３２、３３が、図７に示されるように、比較的大きい丸孔の形態である場合には、すべての方向（ｘ−ｙ方向）に遊びが存在する。したがって、図６及び図７に示された実施態様においては、対応する貫通孔に対してスナップ作用フックが過小寸法となる。
【００２８】
図８は、構造部材１９をパネル状部材５から或る所望距離に取り付けることを可能とする、実施態様を示す。この目的のため、２つのスナップ作用フック７、８を有する固定部材のフランジ３４はスリーブ３５を有し、このスリーブ３５は、フランジ３４から孔２０の軸方向に突出する。孔２０は、ナット部材１内でねじ孔を形成する。スリーブ３５には雄ねじ部が形成され、この雄ねじ部には支持ナット３６がねじ込まれる。この支持ナット３６には、この目的のために雌ねじ部３７が形成されている。支持ナット３６をどの程度離してスリーブ３５にねじ込むかにより、ねじ頭部１８に面する支持ナット３６の端面と、ねじ頭部１８に面するパネル状部材の側部との間には、或る規定の距離が存在する。この規定の距離は、支持ナット３６をスリーブ３５の雄ねじの領域上にねじ込むことにより、任意に調節可能である。図８に示される締結ナットの別の個々の部品に関して、図１及び図２に関する説明上の注釈を参照することができる。
【００２９】
図９は、構造部材１９とパネル状部材５との間の或る距離を調節するための別の方法を示す。固定部材のフランジ３８に、再度スリーブ３９が備えられる。このスリーブ３９は、図８の実施態様に示されるように、フランジ３８から軸方向に突出する一方、スリーブ３９内に緩めに嵌合する管状片４０を有する。図９において、この嵌合状態は、２つの部材、すなわちスリーブ３９及び管状片４０に、摩擦係止の意味における相互支持をもたらすために、その対応する表面を一種の粗面状にしたものとして示されている。管状片４０は、軸長手方向に延びる複数のスリット４２を有する。これらのスリットは、管状片４０を膨張可能にする。構造部材１９とパネル状部材５との間に上述の距離をもたらすために、ねじ頭部１８に面する管状片４０の端面が所望の位置に到達するまで、管状片４０がスリーブ３９内に挿入される。次に、ねじ１７がナット部材１内にねじ込まれ、ねじ１７の円柱領域４３が管状片４０内に押し込まれ、それに対応して管状片４０を膨張させる。スリット４２により可能となったこの膨張が原因で、管状片はスリーブ３９の内壁に押し付けられ、これにより、管状片は摩擦係止によりスリーブ３９に対して堅固に保持される。
【００３０】
図１０は、スナップ作用フック７、８及び固定部材を係止解除状態にすることができる、締結ナットを示す。この目的のため、固定部材のフランジ４４には係止解除孔が設けられ、この図においては、そのうちの係止解除孔４５のみを直接見ることができ、かつ確認可能である。他の係止解除孔内には、係止解除ピン４７が配置されている。この係止解除ピンは、スナップ作用フック８を係止解除状態にする。係止解除ピン４８は、スナップ作用フック７を係止解除するために設けてあるが、フランジ４４から或る距離の所に描いてある。これは、このような図法により、係止解除孔４５を見ることができるようにするためである。フランジ４４のスナップ作用フック７，８の受け入れ孔（図１ｃ参照）は、係止解除ピン４７、４８を追加的に受け入れることができるように、相応に広く形成されている。係止解除ピン４７、４８を導入した結果、２つのスナップ作用フック７、８は、予荷重に対して押し戻され、それにより、スナップ作用フック８によって示されるように、その肩部９、１０（図１参照）がナット部材１を開放する。
【００３１】
上述の締結ナットにより、パネル状部材５の貫通孔１３、１４、１５を密封することも可能である。これは、保持部２、３を有するナット部材１に密封リップを備えることにより達成される。図１１ａ（側面図）において、これは密封リップ４９であり、２つの保持部２、３を有するナット部材１の縁部を取り囲む。密封リップ４９は、可撓的な弾性プラスチック製である。２つの保持部２、３を有するナット部材１は、図１１ａに示されていない部材に対して、密封リップ４９で押し付ける。この部材は、例えば、図１及び図２におけるパネル状部材５である。
【００３２】
図１２ａ、図１２ｂ、図１２ｃによれば、固定部材４は、かかる連続する密封リップをフランジ５０の両側に備えている。これらは密封リップ５１、５２であり、締結ナットの構成部品が結合されて締結ナットが部品に取り付けられたとき、これらの密封リップは、一方ではその取り付けられる構造部材（図２の１９）を押し付け、他方では締結ナットが取り付けられたパネル状部材（図２の５）を押し付ける。上記密封リップにより、取り付けられる構造部材によって分離される空間を、相互に密封することも可能である。勿論、特別に高い品質のシール性が要求されない場合は、締結ナットの２つの構成部品の１つのみに、密封リップを設けるだけでも十分であることを指摘しておく。
【００３３】
図１と同様に、図１３は、固定部材５３に１つのスナップ作用フック５４を備えるようにした締結ナットを示し、スナップ作用フックは固定部材５３のフランジ５５に接合された状態にある。
【００３４】
スナップ作用フック５４は、固定部材５３と保持部５６とが結合される際、パネル状部材５８の貫通孔５７に貫通する。スナップ作用フック５４が受け入れ孔５９とその縁部で十分支持されることを確実にするため、スナップ作用フック５４には２つの突出部が設けられる。これらの突出部は、その肩部６０、６１が受け入れ孔５９の対応する縁部の背後に至る。かかる締結ナットの設計の場合でも、図１及び図２に示された固定方法に従って、構造部材をパネル状部材５８に取り付けることができる。これは、ねじがフランジ５５とパネル状部材５８とを貫通し、ナット部材６２内に入ることで達成される。
【００３５】
以下に、先に説明した締結ナットにおいて採用されている原理を用いた、締結ナットの他の実施態様について説明する。他の実施態様は、パネル状部材上に構造部材をねじ止めするための締結ナットであり、このパネル状部材は、締結ナットのナット部材にねじ込まれるねじのための貫通孔と、締結ナット上に設けられたフックのための２つの受け入れ孔を有する。上記締結ナットの目的は、既に先に述べたとおりである。すなわち、この締結ナットは簡単な方法でパネル状部材に取り付けることができ、そのナット部材とパネル状部材との間の結合について、高い安定性を特徴としている。これは、締結ナットをパネル状部材上に事前組み立てするとき、ナット部材がパネル状部材上に押し付けられ、それにより、ばねアームが伸長してばねアームが受け入れ孔内に案内されて、その内部内側に係止されるように、パネル状部材に対して実質的に長手方向に延在するばねアームによって、フックがナット部材に接続されることで達成される。
【００３６】
上述の他の実施態様を、図１４ないし図１７に示す。
【００３７】
図１４ａ及び図１４ｂは、パネル状部材７１から分離された締結ナット７０を示す。図１４ａは、パネル状部材７１と共に締結ナット７０の側面図を示し、図１４ｂは、締結ナット７０を平面図で示す。締結ナット７０はナット部材７２を有し、ナット部材７２には、図１７に示されたねじ８７を受け入れるための貫通孔７３が設けてある。ナット部材７２には、フック７６、７７で終端するばねアーム７４、７５が取り付けてある。締結ナット７０はプラスチック製であり、このプラスチック製締結ナットにより、締結ナット７０をパネル状部材７１に取り付ける作業に必要とされる弾性が、ばねアーム７４、７５にもたらされる。図１４ａ及び図１４ｂに示された実施態様によれば、ばねアーム７４、７５はナット部材７２の片側に成型される。ナット部材７２がパネル状部材７１に、よりよく接触するように、ナット部材７２にはカラー７８が備えられている。その端面がパネル状部材７１に面した状態で、カラー７８は、パネル状部材７１に対して適切な大きさの接触面を提供する。貫通孔７３内へのねじの導入を容易にするため、上記貫通孔７３は、カラー７８の領域内に拡張部７９を備えている。ばねアーム７４、７５は、ナット部材７２から突出するプラスチック片体の形態になっている。上記プラスチック片体は、その端部８０，８１において丸い延出部８２、８３に続き、フック７６、７７がこの延出部に接合されている。
【００３８】
この場合、パネル状部材７１は、ねじ８７を受け入れるための貫通孔８４及びフック７６、７７を受け入れるための貫通孔８５、８６を有するパネルを形成している。
【００３９】
図１５は、締結ナット７０のパネル状部材７１への取り付け動作を、２つの態様より示す。これは、ナット部材７２の分離図によって達成され、左側部分は、パネル状部材７１に軽く押しつけられたときのばねアーム７４の位置を示し、右側部分は、フック７７が貫通孔８６内に案内された位置における、ばねアーム７５による押し付け動作を示す。
【００４０】
ナット部材７２がさらにパネル状部材７１に押し付けられるのに伴い、２つのフック７６、７７は、最終的には貫通孔８５、８６内を摺動して貫通する。この位置において、ばねアーム７４、７５は戻り方向に弾ける。フック７６、７７は、図１６に明瞭に示されるように、パネル状部材７１に係止される。このようにして、締結ナット７０がパネル状部材７１に事前組み立てされる。カラー７８は、既にパネル状部材７１と接触している。しかしながら、これは代替的に、図１６に示されるように、パネル状部材７１から僅かな距離だけ離れていてもよい。締結ナットを有するナット部材７２とパネル状部材７１とが図１６に示される位置にある状態で、ねじ８７をナット部材７２内にねじ込むことができる。
【００４１】
図１７は、ねじ込まれたねじ８７を有する締結ナット７０を示す。ねじ８７のねじ頭部８８は、構造部材８９をパネル状部材７１に固定する。その結果、ねじ８７を受け入れたナット部材７２は、締結ナット７０の機能と矛盾することなく、構造部材８９がパネル状部材７１に確実にねじ止めされるようにし、事前組み立てされた締結ナット７０が構造部材８９をパネル状部材７１に簡単に取り付けることを保証する。
【図面の簡単な説明】
【００４２】
【図１】２つの部材、すなわち、固定部材（図１ａ）とナット部材（図１ｃ）の分解組立図による締結ナットを示し、パネル状部材（図１ｂ）が両者間に配置された状態を示す。
【図２】ねじ込まれたねじを有するパネル状部材に取り付けられた、組み立て済みの締結ナットを示す。
【図３】無振動事前組み立て用にばね部が固定部材とナット部材とに取り付けられた、同様の締結ナットを示す。
【図４】無振動事前組み立て用の湾曲した固定部材を示す。
【図５】３つの円形貫通孔を有するパネル状部材を示し、スナップ作用フックが嵌合した状態を示す。
【図６】３つの卵形孔を有するパネル状部材を示し、挿入された固定部材のスナップ作用フックが卵形孔の長手方向への遊びが許容された状態を示す。
【図７】３つの円形挿入部を有するパネル状部材を示し、スナップ作用フックが各方向への遊びが許容された状態を示す。
【図８】構造部材とパネル状部材との間の距離を保証するスリーブを備えた固定部材の設計を示す。
【図９】距離を保証するスリーブの別の設計を示す。
【図１０】スナップ作用フックがナット部材に対して係止解除可能な締結ナットの設計を示す。
【図１１】側面図（図１１ａ）とそれに対応する平面図（図１１ｂ）における密封リップを備えたナット部材の設計を示す。
【図１２】連続する密封リップを備えた固定部材の実施態様を示す（図１２ａ：平面図、図１２ｂ：側面図、図１２ｃ：９０°回転させた側面図)。
【図１３】原理の点で図１の内容に対応した状態を表す、１つのスナップ作用フックのみを備えた締結ナットの設計を示す。
【図１４】側面図（図１４ａ）及び平面図（図１４ｂ）のばねアームに取り付けられたフックを備えた締結ナットを示す。
【図１５】パネル状部材に押しつけられた状態の締結ナットを、２つの押し付け動作場面で示す。
【図１６】フックがパネル状部材に係止した状態の締結ナットを示す。
【図１７】構造部材をパネル状部材に固定するためのねじを有する、係止状態の締結ナットを示す。
【符号の説明】
【００４３】
１  ナット部材
２，３  保持部
４  固定部材
５  パネル状部材
６  フランジ
７，８  スナップ作用フック
９，１０  肩部
１１，１２  受け入れ孔
１３，１４，１５  貫通孔
１６  表面
１７  ねじ
１８  ねじ頭部
１９  構造部材
２０  孔
２１，２２，２３，２４  ばね部
２５  フランジ
２６，２７  スナップ作用フック
２８，２９，３０，３１，３２，３３  孔
３４  フランジ
３５  スリーブ
３６  支持ナット
３７  雌ねじ部
３８  フランジ
３９  スリーブ
４０  管状片
４２  スリット
４３  円柱領域
４４  フランジ
４５  係止解除孔
４７，４８  係止解除ピン
４９  密封リップ
５０  フランジ
５１，５２  密封リップ
５３  固定部材
５４  スナップ作用フック
５５  フランジ
５６  保持部
５７  貫通孔
５８  パネル状部材
５９  受け入れ孔
６０，６１  肩部
６２  ナット部材
７０  締結ナット
７１  パネル状部材
７２  ナット部材
７３  貫通孔
７４，７５  ばねアーム
７６，７７  フック
７８  カラー
７９  拡張部
８０，８１  端部
８２，８３  延出部
８４，８５，８６  貫通孔
８７  ねじ
８８  ねじ頭部
８９  構造部材
【図１】
2005511979.tif 000003
【図２】
2005511979.tif 000004
【図３】
2005511979.tif 000005
【図４】
2005511979.tif 000006
【図５】
2005511979.tif 000007
【図６】
2005511979.tif 000008
【図７】
2005511979.tif 000009
【図８】
2005511979.tif 000010
【図９】
2005511979.tif 000011
【図１０】
2005511979.tif 000012
【図１１】
2005511979.tif 000013
【図１２】
2005511979.tif 000014
【図１３】
2005511979.tif 000015
【図１４】
2005511979.tif 000016
【図１５】
2005511979.tif 000017
【図１６】
2005511979.tif 000018
【図１７】
2005511979.tif 000019
【国際調査報告】
2005511979.tif 000020
2005511979.tif 000021
2005511979.tif 000022
2005511979.tif 000023
2005511979.tif 000024
2005511979.tif 000025
2005511979.tif 000026
2005511979.tif 000027
2005511979.tif 000028
2005511979.tif 000029